(57)【要約】      （修正有）【課題】簡便な方法（構成）でレンジフード用フィルタ部材をフィルタ取付枠に装着し得るようにしたフィルタ部材とフィルタ装着手段との組合わせを提供する。【解決手段】レンジフード本体の排気吸込口に装着されるフィルタ部材とフィルタ部材をフィルタ取付枠に装着するフィルタ装着手段との組合せであって、フィルタ部材は前記排気吸込口に設けられるフィルタ取付枠の前面側を被覆するフィルタ本体部とフィルタ本体部の両側縁にあってフィルタ取付枠の後面側においてフィルタ装着手段と係合し合う係合片部とを有している。そして、その第１の形態としては、フィルタ装着手段が折曲容易な端部をもつ金属線材であり、端部がフィルタ部材における係合片部に形成した係合孔と係合し合うようにされる。【選択図】図１
0003136949.tif 000002
【実用新案登録請求の範囲】
【請求項１】
レンジフード本体（１）の排気吸込口（１１）に装着されるフィルタ部材（３）と該フィルタ部材（３）をフィルタ取付枠（２）に装着するフィルタ装着手段（Ｈ）との組合せであって、前記フィルタ部材（３）は前記排気吸込口（１１）に設けられるフィルタ取付枠（２）の前面側を被覆するフィルタ本体部（３Ａ）と該フィルタ本体部（３Ａ）の両側縁にあって前記フィルタ取付枠（２）の後面側において前記フィルタ装着手段（Ｈ）と係合し合う係合片部（３Ｂ）とを有していることを特徴とするレンジフード用フィルタ部材とフィルタ装着手段の組合わせ。
【請求項２】
フィルタ装着手段（Ｈ）が折曲容易な端部（３２ａ）をもつ金属線材（３２）であり、前記端部（３２ａ）がフィルタ部材（３）における係合片部（３Ｂ）に形成した係合孔（３１）と係合し合うようにされていることを特徴とする請求項１記載のレンジフード用フィルタ部材とフィルタ装着手段の組合わせ。
【請求項３】
フィルタ装着手段（Ｈ）が紐（３３）であり、前記フィルタ部材（３）における係合片部（３Ｂ）に前記紐（３３）の端部（３３ａ）を受け入れる孔（３１）が形成されていることを特徴とする請求項１記載のレンジフード用フィルタ部材とフィルタ装着手段の組合わせ。
【請求項４】
フィルタ装着手段（Ｈ）が端部にフック（３４ａ）を有するゴム紐（３４）であり、前記フィルタ部材（３）における係合片部（３Ｂ）に前記フック（３４ａ）を係止可能な孔（３１）が形成されていることを特徴とする請求項１記載のレンジフード用フィルタ部材とフィルタ装着手段の組合わせ。
【請求項５】
フィルタ装着手段（Ｈ）がフィルタ部材（３）の一側縁から連続して一体化されている帯状片（３５）の一端部（３５ａ）に両面接着テープ（３６）を付設したものであり、前記フィルタ部材（３）の他側縁側に前記両面接着テープ（３６）つきの帯状片端部（３５ａ）を挿通させる孔（３１）が形成されていることを特徴とする請求項１記載のレンジフード用フィルタ部材とフィルタ装着手段の組合わせ。
【考案の詳細な説明】
【技術分野】
【０００１】
本願考案はレンジフードにおける排気吸込口に装着されるフィルタ部材とそのフィルタ部材をフィルタ取付枠に装着するためのフィルタ装着手段との組合わせに関するものである。
【背景技術】
【０００２】
図５に例示するように、ガスレンジなどの上部には排気（排煙）を室外に排出するためのレンジフードが設けられるが、通常の場合、そのレンジフード本体の排気吸込口にはフィルタ部材が設けられる。
【０００３】
その場合、従来はフィルタ部材をフィルタ取付枠に取り付けるにあたり、図６に示すようにフィルタ取付枠２に対してロール３′から適宜長さに裁断したフィルタ部材３を磁石２１，２１・・・で固定したり、あるいは図７に示すように面接着テープ（たとえば、登録商標名「マジックテープ」）２２ａ，２２ａ・・・、２２ｂ，２２ｂ・・・を使用したりしていた。
【考案の開示】
【考案が解決しようとする課題】
【０００４】
しかしながら、図６に示すように磁石２１，２１・・・を使用してフィルタ部材３をフィルタ取付枠２に固定する方法では何らかのショックで磁石２１が落下するおそれがあったり、また図７に示すように面接着テープ２２ａ，２２ａ・・・、２２ｂ，２２ｂ・・・を使用する方法では、それらの面接着テープ２２ａ，２２ｂが油煙で汚れて相互の接着力が低下し、短時日でフィルタ部材３が落下するおそれがあったりする。
【課題を解決するための手段】
【０００５】
そこで本願考案は、簡便な方法（構成）でレンジフード用フィルタ部材をフィルタ取付枠に装着し得るようにしたフィルタ部材とフィルタ装着手段との組合わせを提供しようとなされたものである。
【０００６】
以下、その具体的構成を説明すると、本願考案で使用するフィルタ部材は、レンジフード本体の排気吸込口に装着されるフィルタ取付枠の前面側を被覆するフィルタ本体部と該フィルタ本体部の両側縁にあってフィルタ取付枠の後面側において後述する各種フィルタ装着手段と係合し合う係合片部とを有している。すなわち、フィルタ本体部でフィルタ取付枠の前面を被覆する一方、フィルタ取付枠の後面側において係合片部と各種フィルタ装着手段とを係合させることによりフィルタ部材をフィルタ取付枠に取付けるものである。
【０００７】
フィルタ部材の係合片部とフィルタ装着手段とを係合させる態様としては次のようなものがある。
【０００８】
第１の態様
この態様は、フィルタ装着手段が折曲容易な端部をもつ金属線材であり、前記端部がフィルタ部材における係合片部に形成した係合孔と係合し合うようにしたものである。
【０００９】
第２の態様
この態様は、フィルタ装着手段が紐であり、前記フィルタ部材における係合片部に前記紐の端部を受け入れる孔が形成されているものである。
【００１０】
第３の態様
この態様は、フィルタ装着手段が端部にフックを有するゴム紐であり、前記フィルタ部材における係合片部に前記フックを係止することのできる孔が形成されているものである。
【００１１】
第４の態様
この態様は、フィルタ装着手段がフィルタ部材の一側縁から連続して一体化されている帯状片の一端部に両面接着テープを付設したものであり、前記フィルタ部材の他側縁側に前記両面接着テープつきの帯状片端部を挿通させる孔が形成されているものである。
【考案の効果】
【００１２】
本願考案は、上記のように、レンジフード本体の排気吸込口に装着されるフィルタ部材と該フィルタ部材をフィルタ取付枠に装着するフィルタ装着手段との組合せであって、前記フィルタ部材は前記排気吸込口に設けられるフィルタ取付枠の前面側を被覆するフィルタ本体部と該フィルタ本体部の両側縁にあって前記フィルタ取付枠の後面側において前記フィルタ装着手段と係合し合う係合片部とを有しているもであるから、フィルタ部材が確実にフィルタ取付枠に保持される効果がある。また、本願考案において使用されるフィルタ装着手段は、金属線材であったり、紐であったり、フックつきゴム紐であったり、あるいはフィルタ部材の一側縁から連続して一体化されている帯状片であったりしたものであり、簡便な構成で安価に製作し得るものである。
【考案を実施するための最良の形態】
【００１３】
続いて添付の図面を参照して本願考案のいくつかの好適な実施例を説明する。
【００１４】
第１実施例
図１（Ａ），（Ｂ）に示す実施例は、不織布製のフィルタ部材３と金属線材３２からなるフィルタ装着手段（Ｈ）の組合わせを示している。
【００１５】
フィルタ部材３は、図１（Ａ）に示すようにフィルタ取付枠２の前面側（排気吸込側）を被覆するフィルタ本体部３Ａと該フィルタ本体部３Ａの両側縁にあってフィルタ取付枠２の後面側において金属線材３２の端部３２ａ，３２ａと係合する係合片部３Ｂ，３Ｂとを有している。金属線材３２は合成樹脂（ビニル）被覆の線材でその端部３２ａ，３２ａが容易に折曲可能になっている。
【００１６】
図１（Ｂ）はフィルタ部材３をフィルタ取付枠２に装着した状態を示しており、フィルタ取付枠２の前面側がフィルタ部材３のフィルタ本体部３Ａによって被覆される一方、フィルタ部材３の両端縁にある係合片部３Ｂ，３Ｂがフィルタ取付枠２の後面側に折り返され、各係合片部３Ｂ，３Ｂに形成されている円形又は方形の孔３１，３１・・・に金属線材３２の端部３２ａ，３２ａ・・が係入されている。
【００１７】
第２実施例
図２（Ａ），（Ｂ）に示す実施例は、不織布製のフィルタ部材３と紐３３からなるフィルタ装着手段Ｈの組合わせを示している。
【００１８】
フィルタ部材３は、図２（Ａ）に示すようにフィルタ取付枠２の前面側（排気吸込側）を被覆するフィルタ本体部３Ａと該フィルタ本体部３Ａの両端縁にあってフィルタ取付枠２の後面側において紐３３の端部３３ａ，３３ａ・・・と係合する係合片部３Ｂ，３Ｂとを有している。
【００１９】
図２（Ｂ）はフィルタ部材３をフィルタ取付枠２に装着した状態を示しており、フィルタ取付枠２の前面側がフィルタ部材３のフィルタ本体部３Ａによって被覆される一方、フィルタ部材３の両端縁にある係合片部３Ｂ，３Ｂがフィルタ取付枠２の後面側に折り返され、各係合片部３Ｂ，３Ｂに形成されている円形又は方形の孔３１，３１・・・に紐３３の端部３３ａ，３３ａ・・が結びつけられている。
【００２０】
第３実施例
図３（Ａ），（Ｂ）に示す実施例は、不織布製のフィルタ部材３とフック（３４ａ）つきゴム紐３４からなるフィルタ装着手段Ｈの組合わせを示している。
【００２１】
フィルタ部材３は、図３（Ａ）に示すようにフィルタ取付枠２の前面側（排気吸込側）を被覆するフィルタ本体部３Ａと該フィルタ本体部３Ａの両端縁にあって後述のフィルタ装着手段Ｈ（フック３４ａつきゴム紐３４）によって相互にれんけつされる係合片部３Ｂ，３Ｂとを有している。
【００２２】
図３（Ｂ）はフィルタ部材３をフィルタ取付枠２に装着した状態を示しており、フィルタ取付枠２の前面側がフィルタ部材３のフィルタ本体部３Ａによって被覆される一方、フィルタ部材３の両端縁にある係合片部３Ｂ，３Ｂがフィルタ取付枠２の後面側に折り返される。
【００２３】
一方の係合片部３Ｂに形成されている円形又は方形の孔３１にはゴム紐３４の一端が結びつけられており、他方の係合片部３Ｂに形成されている孔３１には上記ゴム紐３４に装着されているフック３４ａが引掛けられ、それによってフィルタ部材３がフィルタ取付枠２に装着されるようになっている。
【００２４】
第４実施例
図４（Ａ），（Ｂ）に示す実施例は、不織布製のフィルタ部材３と同フィルタ部材３の端部を加工して形成されるフィルタ装着手段Ｈの組合わせを示している。
【００２５】
フィルタ部材３は、図４（Ａ）に示すようにフィルタ取付枠２の前面側（排気吸込側）を被覆するフィルタ本体部３Ａを有し、さらに該フィルタ本体部３Ａの一方の端縁側に複数個（２〜５個）の細長孔３１，３１，３１を形成した側縁片３Ｂと、他方の端縁側に複数本（２〜５本）の帯状片３５，３５，３５を一体的に形成した側縁片３Ｂとを有している。そして各帯状片３５の各端部３５ａにはそれぞれ両面接着テープ３６が取りつけられている。
【００２６】
この実施例では、図４（Ｂ）に示すようにフィルタ取付枠２の前面側（排気吸込側）をフィルタ本体部３Ａで被覆し、さらにフィルタ本体部３Ａの両端縁側にある側縁片３Ｂ，３Ｂをフィルタ取付枠２の後面側に折り返した後、一方の側縁片３Ｂに連続している帯状片３５，３５，３５の先端部３５ａ，３５ａ，３５ａを他方の側縁片３Ｂ側に形成されている細長孔３１，３１，３１に挿通させ、さらにその帯状片端部３５ａ，３５ａ，３５ａを折り返してそれぞれの両面接着テープ３６，３６，３６により固定するものである。
【００２７】
この実施例においては、一方の側縁片３Ｂ側に一体的に形成されている帯状片３５，３５，３５とそれらの各端部３５ａ，３５ａ，３５ａに取りつけられている両面接着テープ３６とでもってフィルタ装着手段Ｈが構成されることになる。
【図面の簡単な説明】
【００２８】
【図１】本願考案の第１の実施例にかかるフィルタ部材とフィルタ装着手段の形態及び使用状態説明図である。
【図２】本願考案の第２の実施例にかかるフィルタ部材とフィルタ装着手段の形態及び使用状態説明図である。
【図３】本願考案の第３の実施例にかかるフィルタ部材とフィルタ装着手段の形態及び使用状態説明図である。
【図４】本願考案の第４の実施例にかかるフィルタ部材とフィルタ装着手段の形態及び使用状態説明図である。
【図５】従来のレンジフードにおけるフィルタ部材の一般的な使用状態説明図である。
【図６】図５中に示されているフィルタ部材の固定方法説明図である。
【図７】図５中に示されているフィルタ部材の他の固定方法説明図である。
【符号の説明】
【００２９】
１はレンジフード本体、２はフィルタ取付枠、３はフィルタ部材、３Ａはフィルタ本体部、３Ｂは係合片部、３１は孔、３２は金属線材、３２は紐、３４はゴム紐、３５は帯状片、３６は両面接着テープである。
【図１】
0003136949.tif 000003
【図２】
0003136949.tif 000004
【図３】
0003136949.tif 000005
【図４】
0003136949.tif 000006
【図５】
0003136949.tif 000007
【図６】
0003136949.tif 000008
【図７】
0003136949.tif 000009